(57)【要約】      （修正有）【課題】小型の電子楽器においても、音量をある程度大きく、かつ音質も良好にした楽音を発音できる電子楽器を提供する。【解決手段】電子楽器１０は、演奏者が演奏操作する演奏操作子としての鍵盤１２と、演奏操作子の演奏操作に応じて楽音信号を発生する楽音信号発生回路とを備えている。電子楽器１０に、電子楽器１０を設置した設置部材２０を振動させる変換器３０Ａを設ける。変換器３０Ａは、電子楽器１０の内部にて固定された固定部材（ヨーク又はボビン）と、固定部材に弾性部材を介して連結されるとともに、電子楽器１０の下面から下方に突出して固定部材に対して上下方向に変位可能な変位部材（ボビン又はヨーク）とからなり、発生された楽音信号を変位部材の上下方向の振動に変換する。【選択図】図２
0003201529.tif 000002
【実用新案登録請求の範囲】
【請求項１】
演奏者が演奏操作する演奏操作子と、
前記演奏操作子の演奏操作に応じて楽音信号を発生する楽音信号発生回路とを備えた電子楽器において、
電子楽器の内部にて固定された固定部材と、前記固定部材に弾性部材を介して連結されるとともに、電子楽器の下面から下方に突出して前記固定部材に対して上下方向に変位可能な変位部材とからなり、前記発生された楽音信号を前記変位部材の上下方向の振動に変換して電子楽器を設置した設置部材を振動させる変換器を設けたことを特徴とする電子楽器。
【請求項２】
請求項１に記載した電子楽器において、
前記電子楽器の下面には複数の脚が設けられており、
前記変換器を前記複数の脚の間にてケースに設けた電子楽器。
【請求項３】
請求項１に記載した電子楽器において、
前記電子楽器の下面には脚が設けられており、
前記変換器を前記脚に設けた電子楽器。
【請求項４】
請求項１乃至３のうちのいずれか一つに記載した電子楽器において、
前記固定部材はマグネットを固定したヨークであり、かつ
前記変位部材はコイルの巻かれたボビンである電子楽器。
【請求項５】
請求項１乃至３のうちのいずれか一つに記載した電子楽器において、
前記固定部材はコイルの巻かれたボビンであり、かつ
前記変位部材はマグネットを固定したヨークである電子楽器。
【考案の詳細な説明】
【技術分野】
【０００１】
本考案は、演奏操作に応じて楽音を発音する電子楽器に関する。
【背景技術】
【０００２】
例えば、下記特許文献１には、鍵盤の押鍵操作により楽音を発音する楽器玩具としての小型の電子楽器が示されている。この電子楽器においては、楽音信号を電子楽器内部に設けた小型スピーカで音響信号に変換して楽音を発音するようにしている。
【先行技術文献】
【特許文献】
【０００３】
【特許文献１】実開平５−５１９４号公報
【考案の概要】
【０００４】
しかしながら、前記背景技術で示した小型の電子楽器に搭載されている小型のスピーカでは、キャビネットの容量を大きくすることができないので、楽音の音量が小さく、かつ楽音の音質も良好でない。
【０００５】
本考案は、前述した問題に対処するためになされたもので、その目的は、小型の電子楽器においても、音量をある程度大きく、かつ音質も良好にした楽音を発音できる電子楽器を提供することにある。なお、下記本考案の各構成要件の記載においては、本考案の理解を容易にするために、実施形態の対応箇所の符号を括弧内に記載しているが、本考案の構成要件は、実施形態の符号によって示された対応箇所の構成に限定解釈されるべきものではない。
【０００６】
上記の目的を達成するため、本考案の特徴は、演奏者が演奏操作する演奏操作子（１２）と、演奏操作子の演奏操作に応じて楽音信号を発生する楽音信号発生回路(４２)とを備えた電子楽器において、電子楽器の内部にて固定された固定部材（３１又は３３）と、固定部材に弾性部材（３５又は３６）を介して連結されるとともに、電子楽器の下面から下方に突出して固定部材に対して上下方向に変位可能な変位部材（３３又は３１）とからなり、前記発生された楽音信号を変位部材の上下方向の振動に変換して電子楽器を設置した設置部材（２０）を振動させる変換器（３０Ａ，３０Ｂ）を設けたことにある。
【０００７】
この場合、例えば、電子楽器の下面には複数の脚（１４）が設けられており、変換器を複数の脚の間にてケース（１１）に設けるようにするとよい。また、電子楽器の下面には脚（１４）が設けられており、変換器を脚に設けるようにしてもよい。さらに、例えば、固定部材はマグネット（３２）を固定したヨーク（３１）であり、かつ変位部材はコイル（３４）の巻かれたボビン（３３）であるとよい。また、固定部材はコイル（３４）の巻かれたボビン（３３）であり、かつ変位部材はマグネット（３２）を固定したヨーク（３１）であってもよい。
【０００８】
前記のように構成した本考案においては、電子楽器を、机、テーブル、箱などの設置部材上に置くと、変位部材は、その自重により、設置部材の上面に当接する。この状態で、演奏者が演奏操作子を操作して、楽音信号発生回路に楽音信号を発生させれば、変換器は、変位部材を楽音信号に応じて上下方向に振動させる。この変位部材の上下方向の振動は設置部材に伝達され、設置部材も楽音信号に応じて上下方向に振動して楽音を発音する。設置部材は、机、テーブル、箱などの比較的大きな部材であるので、楽音の音量を大きくすることができると同時に、楽音の音質の向上も図ることができる。その結果、本考案によれば、小型の電子楽器においても、音量をある程度大きく、かつ音質も良好にした楽音を設置部材を介して発音させることができるようになる。
【図面の簡単な説明】
【０００９】
【図１】本考案の一実施形態に係る電子楽器の概略斜視図である。
【図２】設置部材上に設置した図１の電子楽器の正面図である。
【図３】図２の変換器部分の拡大縦断面図である。
【図４】図１の電子楽器内に設けた電気回路装置の回路ブロック図である。
【図５】第１変形例に係る変換器部分の拡大縦断面図である。
【図６】設置部材上に設置した第２変形例に係る電子楽器の正面図である。
【考案を実施するための形態】
【００１０】
以下、本考案の一実施形態に係る電子楽器１０について、図面を用いて説明する。図１は本考案の一実施形態に係る電子楽器１０の概略斜視図であり、図２は設置部材２０上に設置した状態にある電子楽器１０の正面図である。なお、本明細書においては、図１における上側及び下側をそれぞれ電子楽器１０の後側及び前側とし、図１及び図２における左右方向をそれぞれ電子楽器１０の左右方向とし、かつ図２の上下方向を電子楽器１０の上下方向として説明する。
【００１１】
この電子楽器１０は、玩具用又は音楽用の小型の電子楽器であり、上下方向に比較的薄い直方体状のケース１１を有する。ケース１１の上面には、複数の鍵（白鍵及び黒鍵）からなる鍵盤１２が設けられているとともに、鍵盤１２の後方には音色、音量などの楽音要素を制御するための複数の操作子１３が設けられている。ケース１１の下面における左右両端部には、前後方向に長尺状の一対の脚１４が設けられている。脚１４は、電子楽器１０を設置部材２０上に設置した状態で、その下面を設置部材２０の上面に当接させている。設置部材２０は、テーブル、机、箱などの上部に板状部分を有する部材である。なお、後述する楽音の発生において、良好な音量及び音質の楽音を発生するために、音響効果に優れた専用の箱を設置部材２０として用意しておいて、電子楽器１０を設置する設置部材２０として用いることも可能である。
【００１２】
ケース１１には、一対の脚１４の間であって左右方向の中央位置に、変換器３０Ａが組付けられている。変換器３０Ａは、図３の拡大縦断面図に示すように、ヨーク３１、マグネット３２、ボビン３３及びコイル３４を備えている。ヨーク３１は、円盤状に形成された円盤部３１ａと、円盤部３１ａの中央位置にて下方に突出した円柱状の突出部３１ｂとを有し、円盤部３１ａの上面にてケース１１内すなわち電子楽器１０内に設けられた円筒状のシャーシ１５の上面壁１５ａの下面に固定されている。なお、ヨーク３１の突出部３１ｂは円筒状であってもよい。マグネット３２は、所定の厚さを有する環状に形成されて、上下方向にＮ極とＳ極に磁化されている。マグネット３２は、その上面にてヨーク３１の円盤部３１ａの下面に固定され、その中央の貫通孔にヨーク３１の突出部３１ｂを貫通させている。
【００１３】
ボビン３３は、円筒状に形成され、その上端面を開放させて、その内部にヨーク３１の突出部３１ｂを侵入させている。ボビン３３の下端面は、底面壁３３ａにより閉ざされている。ボビン３３の上部外周面上には、コイル３４が巻き回されている。また、ボビン３３の外周面には、環状に形成されたダンパ３５がその内周面にて固定されている。ダンパ３５は、その外周面にてシャーシ１５の内周面に固定されている。したがって、ボビン３３及びコイル３４は、ダンパ３５を介してシャーシ１５に支持されている。このダンパ３５は、弾力性を有する膜状の弾性部材で構成され、径方向に向かって波のように上下交互に曲げて形成されており、ボビン３３のシャーシ１５及びヨーク３１に対する上下方向の変位を許容する。
【００１４】
このように構成した変換器３０Ａにおいては、脚１４を設置部材２０に当接させて電子楽器１０を設置部材２０に設置する前には、ボビン３３及びコイル３４の自重により、ダンパ３５の内側部分が下方に変位し、ボビン３３の底面壁３３ａは脚１４の下面よりも下方に位置する。そして、脚１４の下面を設置部材２０の上面に当接させて、電子楽器１０を設置部材２０上に設置した状態では、ダンパ３５の内側部分は上方に変位して、ボビン３３の底面壁３３ａの下面は設置部材２０の上面に当接している。なお、この実施形態においては、ヨーク３１が本考案における電子楽器１０の内部にて固定された固定部材に対応し、ボビン３３が本考案における電子楽器１０の下面から下方に突出して固定部材に対して上下方向に変位可能な変位部材に対応する。
【００１５】
次に、電子楽器１０内に設けた電気回路装置について説明する。この電気回路装置は、図４に示すように、検出回路４１及び楽音信号発生回路４２を備えている。検出回路４１は、鍵盤１２の複数の鍵にそれぞれ対応した鍵スイッチ、及び複数の操作子１３にそれぞれ対応したスイッチ、ボリュームなどを含み、複数の鍵の押離鍵状態及び操作子１３の操作状態を検出して検出信号を楽音信号発生回路４２に供給する。楽音信号発生回路４２は、検出回路４１から供給された複数の鍵の押離鍵状態を表わす検出信号に応じて、楽音信号を生成して増幅器４３に出力する。また、楽音信号発生回路４２は、検出回路４１から供給された複数の操作子１３の操作状態を表わす検出信号に応じて、生成される楽音信号の音色、音量などの楽音要素を制御する。増幅器４３は、変換器３０Ａ（３０Ｂ）のコイル３４に図示省略した導線を介して電気接続されており、楽音信号発生回路４２から出力された楽音信号を増幅してコイル３４に出力する。
【００１６】
次に、上記のように構成した電子楽器１０の動作について説明する。前述のように、電子楽器１０を設置部材２０に設置する前には、ボビン３３の底面壁３３ａは脚１４の下方に位置しているが、脚１４の下面を設置部材２０の上面に当接させて、電子楽器１０を設置部材２０上に設置した状態では、ボビン３３の底面壁３３ａの下面は設置部材２０の上面に当接している。
【００１７】
この状態で、演奏者が操作子１３を操作するとともに、鍵盤１２を押離鍵操作して、電子楽器１０の演奏を開始すると、楽音信号発生回路４２は、検出回路４１からの複数の鍵の押離鍵状態を表わす検出信号に従った楽音信号を発生し始める。なお、この楽音信号の音色、音量などの楽音要素は、操作子１３の操作に応じて決定される。この楽音信号は、増幅器４３を介して、変換器３０Ａのコイル３４に出力される。したがって、コイル３４には楽音信号に対応した電気信号が流れ、ボビン３３は、ヨーク３１に対して、すなわち電子楽器１０に対して前記電気信号に応じて上下方向に振動し始める。このボビン３３の上下方向の振動は設置部材２０に伝達され、設置部材２０が上下方向に振動し、設置部材２０の上下方向の振動により、楽音信号に対応した音響信号（楽音）が発生される。
【００１８】
このように、本実施形態に係る電子楽器１０においては、ボビン３３の上下方向の振動により設置部材２０を振動させて、楽音を発音させる。設置部材２０は、テーブル、机、箱などの上部における比較的大きな板状部材であるので、音量がある程度大きく、かつ音質も良好な楽音が発音されることになる。その結果、上記実施形態によれば、小型な電子楽器１０であっても、良好な音量及び音質を有する楽音を発音させることができる。
【００１９】
ａ．第１変形例
次に、上記実施形態の第１変形例について説明する。図５は、第１変形例に係る変換器部分の拡大縦断面図である。この第１変形例に係る変換器３０Ｂは、上記実施形態の変換器３０Ａとは上下逆さまにしてケース１１に組み付けられている。変換器３０Ｂを構成するヨーク３１、マグネット３２、ボビン３３及びコイル３４に関しては、上記実施形態の変換器３０Ａの場合と同じ構成であるので、その説明を省略する。
【００２０】
この第１変形例では、ボビン３３が、底面壁３３ａの上面にてケース１１内すなわち電子楽器１０内に設けられた円筒状のシャーシ１６の上面壁１６ａの下面に固定されている。ダンパ３６も、上記実施形態のダンパ３５と同様に、弾力性を有する膜状の弾性部材で環状に構成され、径方向に向かって波のように上下交互に曲げて形成されている。ただし、ダンパ３６の内径は、ダンパ３５の内径よりも大きい。この場合、ダンパ３６の内周面はマグネット３２の外周面に固定され、ダンパ３６の外周面はシャーシ１６の内周面に固定されている。すなわち、ヨーク３１及びマグネット３２が、ダンパ３６及びシャーシ１６を介してボビン３３に上下方向に変位可能に支持されている。
【００２１】
そして、この第１変形例では、脚１４を設置部材２０に当接させて電子楽器１０を設置部材２０に設置する前には、ヨーク３１及びマグネット３２の自重により、ダンパ３６の内側部分が下方に変位し、ヨーク３１の円盤部３１ａは脚１４の底面よりも下方に位置する。そして、脚１４の下面を設置部材２０の上面に当接させて、電子楽器１０を設置部材２０上に設置した状態では、ダンパ３５の内側部分は上方に変位して、ヨーク３１の円盤部３１ａの下面は設置部材２０の上面に当接している。なお、この第１変形例においては、ボビン３３が本考案における電子楽器１０の内部にて固定された固定部材に対応し、ヨーク３１が本考案における電子楽器１０の下面から下方に突出して固定部材に対して上下方向に変位可能な変位部材に対応する。
【００２２】
そして、この第１変形例においては、電子楽器１０を設置部材２０上に設置して、ヨーク３１の円盤部３１ａの下面を設置部材２０の上面に当接させる。そして、演奏者が操作子１３を操作するとともに、鍵盤１２を押離鍵操作して、電子楽器１０の演奏を開始すると、楽音信号発生回路４２からの楽音信号は増幅器４３を介して変換器３０Ｂのコイル３４に供給される。したがって、コイル３４には楽音信号に対応した電気信号が流れ、この場合には、ヨーク３１が、ボビン３３に対して、すなわち電子楽器１０に対して上下方向に振動し始める。この上下方向の振動は設置部材２０に伝達され、設置部材２０が上下方向に振動し、設置部材２０の上下方向の振動により、楽音信号に対応した音響信号（楽音）が発生される。
【００２３】
このように、第１変形例に係る電子楽器１０においては、ヨーク３１の上下方向の振動により設置部材２０を振動させて、楽音を発音させる。その結果、第１変形例によっても、上記実施形態の場合と同様に、小型な電子楽器１０であっても、良好な音量及び音質を有する楽音を発音させることができる。
【００２４】
ｂ．第２変形例
次に、上記実施形態の第２変形例について説明する。図６は、設置部材２０上に設置した第２変形例に係る電子楽器の正面図である。この第２変形例においては、上記実施形態の２つの変換器３０Ａが一対の脚１４にそれぞれ組み付けられている。この場合、一対の脚１４に上記実施形態と同様なシャーシ１５（図３参照）がそれぞれ設けられて、２つの変換器３０Ａが一対のシャーシ１５にそれぞれ組み付けられている。他の構成は、上記実施形態の場合と同じである。
【００２５】
そして、この第２変形例においても、脚１４を設置部材２０に当接させて電子楽器１０を設置部材２０に設置する前には、ボビン３３及びコイル３４の自重により、ダンパ３５の内側部分が下方に変位し、ボビン３３の底面壁３３ａは脚１４の底面よりも下方に位置する。そして、脚１４の下面を設置部材２０の上面に当接させて、電子楽器１０を設置部材２０上に設置した状態では、ダンパ３５の内側部分は上方に変位して、ボビン３３の底面壁３３ａの下面は設置部材２０の上面に当接している。
【００２６】
また、この第２変形例においても、この状態で、演奏者が鍵盤１２及び操作子１３を用いて電子楽器の演奏を開始すれば、楽音信号発生回路４２からの楽音信号は増幅器４３を介して変換器３０Ａのコイル３４に供給される。したがって、上記第１実施形態の場合と同様に、ボビン３３の上下方向の振動により、設置部材２０は上下方向に振動し、設置部材２０の上下方向の振動により、楽音信号に対応した音響信号（楽音）が発生される。その結果、第２変形例によっても、上記実施形態の場合と同様に、小型な電子楽器１０であっても、良好な音量及び音質を有する楽音を発音させることができる。
【００２７】
また、この第２変形例においては、一対の脚１４に変換器３０Ａがそれぞれ組み付けられているので、２つの変換器３０Ａに供給する楽音信号（電気信号）を左右の２チャンネルに分けるようにすれば、発音される楽音をステレオで聴くことができる。
【００２８】
なお、前記第２変形例では、上記実施形態の変換器３０Ａを脚１４に設けるようにしたが、上記第１変形例の変換器３０Ｂを脚１４に組み付けるようにしてもよい。また、一対の脚１４の一方にのみ、変換器３０Ａ又は変換器３０Ｂを組み付けるようにしてもよい。
【００２９】
本考案に係る電子楽器は、前述した実施形態及び各種変形例に限るものでなく、本考案の技術的範囲内で適宜変更することができる。
【００３０】
上記実施形態及び各種変形例においては、電子楽器１０に一対の脚１４を設けるようにしたが、一対の脚１４をなくして、ケース１１の下面を机、テーブル、箱などの設置部材２０に直接当接させて、電子楽器１０を設置部材２０上に設置するようにしてもよい。この場合には、ケース１１に上記実施形態の変換器３０Ａ又は第１変形例の変換器３０Ｂを上記第１実施形態のように組み付けるようにすればよい。
【００３１】
また、上記実施形態及び第１変形例においては、一対の脚１４の間にてケース１１に変換器３０Ａ又は変換器３０Ｂを組み付け、上記第２変形例及びその変形例では一対の脚１４に変換器３０Ａ又は変換器３０Ｂをそれぞれ組み付けるようにした。しかし、これらに代えて、ケース１１における一対の脚１４の間と、一対の脚１４の両方に変換器３０Ａ又は変換器３０Ｂを組み付けるようにしてもよい。
【００３２】
また、上記実施形態及び第１変形例においては、一対の脚１４の間にてケース１１に一つの変換器３０Ａ又は変換器３０Ｂを組み付けるようにした。しかし、これに代えて、ケース１１に２つ以上の変換器３０Ａ又は変換器３０Ｂを組み付けるようにしてもよい。また、上記第２変形例及びその変形例においては、一対の脚１４に変換器３０Ａ又は変換器３０Ｂをそれぞれ組み付けるようにした。しかし、これに代えて、脚１４の数を３つ以上にして、３つ以上の変換器３０Ａ又は変換器３０Ｂを全て又は一部の脚１４にそれぞれ組み付けるようにしてもよい。
【００３３】
さらに、上記実施形態及び各種変形例では、鍵盤１２を演奏操作子とする電子楽器１０について説明した。しかし、これに代えて、机、テーブル、箱などの設置部材２０上に設置して演奏する電子楽器であれば、ボタン、スライド部材などの他の演奏操作子の操作によって楽音を発音させる電子楽器にも本考案は適用され得る。
【符号の説明】
【００３４】
１０…電子楽器、１１…ケース、１２…鍵盤、１３…操作子、１４…脚、１５，１６…シャーシ、２０…設置部材、３０Ａ，３０Ｂ…変換器、３１…ヨーク、３２…マグネット、３３…ボビン、３４…コイル、３５，３６…ダンパ、４２…楽音信号発生回路
【図１】
0003201529.tif 000003
【図２】
0003201529.tif 000004
【図３】
0003201529.tif 000005
【図４】
0003201529.tif 000006
【図５】
0003201529.tif 000007
【図６】
0003201529.tif 000008